(57)【要約】【課題】  たとえば排水管の開口に、外側からカバープレートなどを取り付ける作業を容易に行えるようにする閉塞用補助具等を提供する。【解決手段】  閉塞用補助具１は、開口６の対向する縁部６ａの各背面に接触させ得る板状部２と、板状部２の前面２ａに直角に突出して取り付けられたボルト３とを一体に有する。開口６内に入れた板状部２の表面と開口６の周囲とにまたがるように粘着パッキン１２を押し当て、閉塞用補助具１の挿通口１３ｃを有するカバープレート１３を、閉塞用補助具１のボルト３に通すことによって開口６を覆ったうえ、ナット１６を締め込む。こうすることにより、排水管５の外側から開口６を塞ぐ。【選択図】      図１
2008095468.tif 000002
【特許請求の範囲】
【請求項１】
管の壁面に設けられた開口を塞ぐための方法であって、
1)  管の内側から上記開口を概ね隙間なく塞ぐとともに上記開口を通り抜けることができ、開口をはさんで対向する縁部の各背面に接触し得るように形成された板状部と、板状部の前面に直角に突出するボルトとが一体にされた閉塞用補助具につき、上記板状部を上記開口から管内に入れたうえ上記縁部の各背面にその板状部を接触させてボルトを開口から出し、
2)  上記開口の周囲と板状部との間の隙間を塞ぐよう、管の外側面から上記補助具の板状部表面にかけての範囲に粘着パッキンを取り付け、
3)  上記開口を覆って上記管の外側面に概ね隙間なくかぶさるとともに上記補助具のボルトを通し得る挿通口を有するカバープレートを、上記ボルトをその挿通口に通すことによって上記の粘着パッキン上に重ね、
4)  上記カバープレートの前面に出たボルトにナットをはめて締め付ける
ことを特徴とする開口の閉塞方法。
【請求項２】
上記の粘着パッキンとして、管の外側面に付着して自然落下しない粘着力を有し、かつ力を受けて変形する樹脂またはゴム製のものを使用することを特徴とする請求項１に記載した開口の閉塞方法。
【請求項３】
管の壁面に設けられた開口に、それを塞ぐカバープレートを取り付けるための開口閉塞用補助具であって、
管の内側から上記開口を概ね隙間なく塞ぐとともに上記開口を通り抜けることができ、開口をはさんで対向する縁部の各背面に接触し得るよう形成された板状部に対し、
その前面に直角に突出するボルトが一体化されている
ことを特徴とする開口閉塞用補助具。
【請求項４】
上記板状部のうち、上記ボルトが一体化された箇所を含む中央寄りの部分は、上記縁部の背面に接触する部分に対し管の厚さに等しい高さの段差をもって前面に突き出ており、当該部分は、上記開口に対し摩擦をもってはまる程度にその外径が上記開口の内径に近いものであることを特徴とする請求項３に記載の開口閉塞用補助具。
【請求項５】
上記板状部が、上記縁部の背面に接触する側と反対側の表面に傾斜面または曲面を有していて、端部から中央部にかけて厚さが徐々に増大するものであることを特徴とする請求項３または４に記載の開口閉塞用補助具。
【請求項６】
板状部およびボルトがプラスチックで形成されていることを特徴とする請求項３〜５のいずれかに記載の開口閉塞用補助具。
【請求項７】
管の壁面に設けられた開口を塞ぐための開口閉塞用具セットであって、
請求項３〜６のいずれかに記載した開口閉塞用補助具と、
上記開口を覆って上記管の外側面に概ね隙間なくかぶさるとともに、上記補助具のボルトを通し得る挿通口を有するカバープレートと、
上記開口の周囲と上記縁部の背面に接触させた状態の板状部との間の隙間をすべて塞ぐよう、管の外側面から上記補助具の板状部表面にかけて、管とカバープレートとの間に環状に装着される粘着パッキンと、
カバープレートの上記挿通口から出る上記補助具のボルトにはめ付けるナットと
を含むことを特徴とする開口閉塞用具セット。
【請求項８】
上記のカバープレートの内側面に、粘着パッキンのはみ出し防止のための段差または突起部が環状に形成されていることを特徴とする請求項７に記載の開口閉塞用具セット。
【請求項９】
上記のカバープレートは、挿通口の周囲が外周寄りの部分よりも厚く形成されたものであることを特徴とする請求項７または８に記載の開口閉塞用具セット。
【発明の詳細な説明】
【技術分野】
【０００１】
請求項に係る発明は、管に設けられた開口を外側から閉塞するための閉塞方法、およびそれに用いる閉塞用補助具、ならびに当該補助具を含む開口閉塞用具セットに関するものである。
【背景技術】
【０００２】
一般に、集合住宅などの排水管には、取り外し（または開閉）可能に接続したメンテナンス用の接続部が設けられていて、排水が詰まったときなどにその接続部を開けて管の内部を清掃できるようになっている。
【０００３】
ところが、詰まった箇所が接続部から遠かったり、接続部に近い住戸が留守であったりした場合には、接続部を利用することができない。そのような場合、従来は適当な箇所で排水管を数十ｃｍにわたり切断して詰まりを取り除き、後に切断箇所に新たに管（短管）を溶接（または接着、フランジ接続）などで継ぎ足していた。
【０００４】
管を切断せずに、管の壁面にホルソー等の機械で穴（開口）をあけたうえ内部を清掃することも考えられるが、清掃後にうまく蓋を取り付ける手段がなく、穴に蓋を当ててバンドで締め付けるか、溶接または接着剤にて蓋を固定するしかなかった。
【０００５】
なお、下記の特許文献１には、一方の側からパネルを取り付けることのできるフックボルト（一端部がＬ字状に曲がってフックとなったボルト）が示されている。
【特許文献１】特開平９−２０９４７９号公報
【発明の開示】
【発明が解決しようとする課題】
【０００６】
一部を切断して後に管を継ぎ足す作業は、溶接、接着、フランジ接続など、いずれもたいへん手間がかかるものであった。溶接機を使用しがたい場合があることや、既設の建物の配管スペースという狭い場所で行わなければならないこと等も、継ぎ足し作業を困難なものにしていた。
【０００７】
一方、管に穴を開けた場合、蓋の取付け手段としてバンドを用いるのは、外観上好ましくない。また、溶接や接着などにより蓋を固定してしまうと、その蓋を再び開けることは不可能である。一度詰まった箇所は再度詰まることが多いため、蓋が取り外せないのは都合が悪い。
【０００８】
特許文献１に記載されたフックボルトを利用すれば蓋を開閉可能に取り付けることができるが、それを利用するにしても、内側に流体が流れる管について、その穴を確実に塞ぐことは容易ではない。ボルトが落下しやすいうえ、水漏れ等を防止できるよう蓋を密に取り付けるのが難しいからである。すなわち、
1)  上記フックボルトを管に固定する手段がなく、またそのボルトは他の部品から独立した小さな部品であるため、蓋を取り付けたりナットを回したりする間に手でボルトを支持し続けることが容易ではない。
2)  開口の周囲と蓋との間にパッキンをはさむとしても、円筒状の管に対して曲面状の蓋を重ねて開口を封じることは、両者間に不均一な隙間が発生しやすいために必ずしも容易ではない。開口の周囲と蓋との間のみならず、ボルトとそのボルトを通す穴（挿通口）との間からの漏水等を防ぐ必要があり、ボルトを複数使用する場合にはそれぞれの締め付け力を均一にする必要もある。そのような事情により、管からの水漏れ等を確実に防止することが難しいのである。
【０００９】
発明の目的は、管の開口を外側からカバープレートによって塞ぐ作業を容易にする、開口の閉塞方法を提供することである。また併せて、それに用いる閉塞用補助具、および開口閉塞用具セットを提供することである。
【課題を解決するための手段】
【００１０】
請求項に記載した開口の閉塞方法は、管の壁面に設けられた開口（たとえば図４（ａ）の符号６）を塞ぐための方法であって、つぎのようにすることを特徴とする。
1)  管の内側から上記開口を概ね隙間なく塞ぐ（管の内面または開口との間に１〜２ｍｍ程度以下の隙間ができても差し支えない）とともに上記開口を通り抜けることができ、開口をはさんで対向する縁部の各背面（カバープレートを取り付ける側と反対側の面）に接触し得るように形成された板状部と、板状部の前面に直角に突出するボルトとが一体に（分離することがなく、また液体を通す隙間がないよう一体に）された閉塞用補助具につき、上記板状部を上記開口から管内に入れたうえ上記縁部の各背面にその板状部を接触させてボルトを開口から出す（たとえば図４（２ａ・２ｂ）のようにする）。
2)  つぎに、上記開口の周囲と板状部との間の隙間（のすべて）を塞ぐよう、管の外側面から上記補助具の板状部表面（前面）にかけての範囲に粘着パッキンを取り付ける（たとえば図４（３ａ・３ｂ）のようにする）。
3)  さらに、上記開口を覆って上記管の外側面に概ね隙間なくかぶさる（管の外側面に直に重ねたとき両者間の一部にたとえば１〜２ｍｍ程度以下の隙間ができても差し支えない）とともに上記補助具のボルトを通し得る挿通口を有するカバープレートを、上記ボルトをその挿通口に通すことによって上記の粘着パッキン上に重ねる。
4)  最後に、上記カバープレートの前面に出たボルトにナットをはめて締め付ける（これにより、たとえば図１の状態にする）。
【００１１】
このような閉塞方法によれば、種々の管に設けられた開口に対し、当該開口を塞ぐカバープレートを、密封性があり、しかも取り外し可能な状態に、当該管の外側から容易に取り付けることができる。密封性があるのは、上記3)のように粘着パッキンを使用すること等により密封性を高めて、管内からの流体の漏れを確実に防止できるからである。また取り付けが容易であるのは、カバープレート等を固定するためのボルトが、閉塞用補助具と一体であるため、落下しないように保持しておくことが容易だからである。閉塞用補助具において上記のようにボルトが前面に突出していると、粘着パッキンを装着するとき、ボルトを手で持って閉塞用補助具を手前に引っ張ることができるので、閉塞用補助具が管の内部に転落するのを防ぎやすいという効果もある。
粘着パッキンの使用によって密封性を高め得るのは、通常のパッキンやガスケットよりも変形可能性の高い粘着パッキンを、開口の周囲と板状部との間の隙間を塞ぐよう、管の外側面から上記補助具の表面にかけての範囲に取り付けるからである。そうしたうえで上記3)・4)のようにカバープレートを重ねて固定すれば、粘着パッキンが、管と閉塞用補助具とカバープレートとの三者に対して密に接することとなり、管内の流体の漏出をきわめて確実に防止する。管（もしくは開口）と閉塞用補助具との間、または管とカバープレートとの間に多少の隙間があっても、それらの間に粘着パッキンが押し込まれることとなるため流体の漏出は防止される。なお、閉塞用補助具とボルトとは、液体を通す隙間がないよう一体にされているので、両者の間を通って流体が漏出することもない。
なお、管の壁面に設けた開口をこうして容易に塞ぐことができるなら、排水管の内部を清掃する作業は、全体として簡単に、かつ短時間内に行うことが可能になる。
【００１２】
発明の閉塞方法では、上記の粘着パッキンとして、管の外側面に付着して自然落下（自己の重さのために管から離れて落下すること）をしない粘着力を有し、かつ力を受けて変形する樹脂またはゴム製のものを使用するのが好ましい。
【００１３】
このような粘着パッキンを用いる利点は次のようなものである。
a)  粘着力のために、前記2)ののち、当該パッキンを手で押さえておかなくても管等に付着させておくことができるうえ、当該パッキンを介して閉塞用補助具を管（の開口付近）に仮止めすることが可能である。すなわち、カバープレートやナットを取り付けるとき、パッキンや閉塞用補助具を手で保持し続ける必要がなくなり、作業が容易になる。逆に、塞いだ開口を再び開ける場合、カバープレートを外しても、粘着パッキンの粘着力に基づいて閉塞用補助具は自然には管内等に落下しないため、閉塞用補助具等を回収することが容易である。
b)  軟らかさがあって変形（塑性変形および弾性変形）が自在なため、閉塞用補助具の板状部と開口との間に隙間があっても、そこへ押し込まれて隙間を封じることができる。したがって、開口の閉塞に関して高い密封性をもたらし、管内を流れる流体が管の外部へ漏れ出ることを効果的に防止できる。カバープレートの外側（外縁部より外側）への漏出を防ぐのみならず、カバープレートの内側（ボルト用の挿通口寄り）への漏出も防止するので、閉塞用補助具のボルトに沿って流体がしみ出ることも避けられる。
【００１４】
請求項に係る開口閉塞用補助具は、管の壁面に設けられた開口に、それを塞ぐカバープレートを取り付けるためのものであって、
・  管の内側から上記開口を概ね隙間なく塞ぐ（管の内面または開口との間に１〜２ｍｍ程度以下の隙間ができても差し支えない）とともに上記開口を通り抜けることができ、開口をはさんで対向する縁部の各背面（カバープレート等を取り付ける側と反対側の面）に接触し得るよう形成された板状部に対し、
・  その前面（カバープレート等を取り付ける側の面、すなわ作業者と対向する面）に直角に突出するボルトが一体化されている（分離することがなく液体を通す隙間がないように一体化されている）
ことを特徴とする。
【００１５】
こうした開口閉塞用補助具は、たとえば上記した閉塞方法により、開口を覆うカバープレートや粘着パッキン等とともに使用されることによって、管に設けられた開口を、密封性の高い状態に、当該管の外側から容易に塞ぐことができる。複雑な構造や高い製作精度を不可欠とするものではないので、製造上も有利である。
【００１６】
かかる開口閉塞用補助具においては、とくに、上記板状部のうち、上記ボルトが一体化された箇所を含む中央寄りの部分が、上記縁部の背面に接触する部分に対し管の厚さに等しい高さの段差をもって前面に突き出ており、当該部分は、上記開口に対し摩擦をもってはまる程度にその外径が上記開口の内径に近いものであるのが好ましい。
そのようにした閉塞用補助具は、それが有する中央寄り部分を用いて管の開口に仮止めすることが可能である。当該部分が、上記開口に対し摩擦をもってはまるような外径を有しているため、一旦当該部分を上記開口内にはめ込めば、ボルト等から作業者が手を離しても補助具が落下してしまうことがないからである。そのような仮止め状態になると、その閉塞用補助具にカバープレート等を取り付けたり、閉塞用補助具のボルトにナットをはめ付けたりする作業をとくに容易に行える。仮止めの状態がしっかりとしたものなら、ナットをはめ付ける間に閉塞用補助具の位置や向き（板状部の向き）がずれてしまう恐れもない。
また、上記の中央寄り部分が、縁部の背面に接触する部分に対して上記管の厚さに等しい高さの段差をもって前面に突き出ているため、開口の周囲と板状部の中央寄り部分との間に両者にまたがるよう粘着パッキンを装着してカバープレートを押し当てるとき、とくに良好な密封性が得られる。
【００１７】
開口閉塞用補助具における上記の板状部は、上記縁部の背面に接触する側と反対側の表面（たとえば図２中の符号２ｂ）に傾斜面または曲面を有していて、端部から中央部にかけて厚さが徐々に増大するものであるなら、なお好ましい。
その場合、板状部を管の壁面に固定したときに、板状部の端部と壁面の内側面との間に極端な段差が生じない。管の内面と板状部の端との間には明確な段差がなくなるか、または段差が小さくなるため、管内の流れに対する抵抗が小さくなり、かつ流体とともに流れる物が引っ掛かりにくくなる効果がある。
【００１８】
開口閉塞用補助具における上記の板状部およびボルトが、プラスチックで形成されているのも好ましい。
プラスチック製であれば、板状部とボルトとを一体に成形することが容易なため、低コストで製造できる。また、閉塞用補助具のボルトにカバープレートとナットを取り付ける際、ナットから手前に突出しているボルトの余長部を切り落とすことも容易である。そうすると、管の周囲に十分なスペースがない場合にも、当該ボルトを、機能を満たすとともに作業しやすい長さのものにすることができる。腐食しにくい点でも、流体用の管に設けた開口を塞ぐのに好都合である。
【００１９】
請求項に係る開口閉塞用具セットは、管の壁面に設けられた開口を塞ぐためのもので、
・  上記いずれかの開口閉塞用補助具と、
・  上記開口を覆って上記管の外側面に概ね隙間なくかぶさる（そのため、たとえば、上記の管に対して同心の曲面を内側に有しているとよい。管の外側面とカバープレートとを直接重ねるとき両者間の一部に１〜２ｍｍ程度以下の隙間ができる状態であっても差し支えない）とともに、上記補助具のボルトを通し得る挿通口を有するカバープレートと、
・  上記開口の周囲と、上記縁部の背面に接触させた状態の板状部との間の隙間（のすべて）を塞ぐよう、管の外側面から上記補助具の板状部表面にかけて、管とカバープレートとの間に環状に装着される粘着パッキンと、
・  カバープレートの上記挿通口から出る上記補助具のボルトにはめ付けるナットと
を含むことを特徴とする。
【００２０】
このような開口閉塞用具セットを用いれば、前記の閉塞方法により、管の壁面に設けられた開口を、管内の流体が漏れ出ないようにカバープレートで塞ぐ作業を容易に行うことができる。すなわち、上記の閉塞用補助具を開口にあてがったうえ、管の開口の周囲と上記補助具の板状部との間にまたがるように粘着パッキンを装着し、その外側にカバープレートをかぶせるとともにカバープレートの挿通口に閉塞用補助具のボルトを通し、かつそのボルトにナットをはめ付けることによって、閉塞作業を完了できる。しかも、再びナットを緩めることによってカバープレートを取り外すことができ、粘着パッキンを剥がしたりカッターナイフ等で切り取ったりすれば、同じ開口を、管内の清掃作業等のために何度も利用することができる。
【００２１】
上記のカバープレートの内側面（すなわち背面）に、粘着パッキンのはみ出し防止のための段差または突起部が環状に形成されていると、さらに好ましい。
そのようなカバープレートを用いると、ナットを強く締め付けても粘着パッキンがカバープレートの外側にはみ出ることがない。その締め付け力で、粘着パッキンを閉塞用補助具と開口との間の隙間にも入り込ませやすくなるため、さらに効果的に管の内部からの漏水を防止できる。
【００２２】
上記のカバープレートは、挿通口の周囲が外周寄りの部分よりも厚く形成されたものであるとさらに好ましい。
そのように中央寄りの部分が厚いと、ナットの締め付け力によってカバープレートが開いて（外周寄りの部分が反って管から離れるように変形して）粘着パッキンがはみ出ることが防止される。したがって、ナットをきつく締めてより確実に管からの漏水を防止することが可能である。
【発明の効果】
【００２３】
請求項に係る開口の閉塞方法によれば、種々の管に設けられた開口を、同管の外側のみからの作業により、容易に、かつ密封性の高い状態に塞ぐことができる。
【００２４】
請求項に係る開口閉塞用補助具によれば、適切に使用することにより、管に設けられた開口を上記と同様に好ましい態様で塞ぐことができる。管内での流れの妨げとならず、当該補助具に異物が引っ掛かりにくくすることも可能である。プラスチック製とすることにより、製造コストを抑えたり腐食しにくくしたりすることもできる。
【００２５】
請求項に係る開口閉塞用具セットは、前記の閉塞方法に使用することにより、管に設けられた開口を好ましい態様で塞ぐことを可能にする。粘着パッキンを強く効果的に押し付けて密封性を高めるように構成することもできる。
【発明を実施するための最良の形態】
【００２６】
発明の実施形態を図面に基づき説明する。
まず、図１（ａ）には、開口閉塞用具セット１０を用いて排水管５の壁面の開口６を塞いだ状態を断面図にて示し、同（ｂ）にその正面図を示す。図２（ａ）〜（ｃ）に閉塞用補助具１を示す。また図３（ａ）〜（ｃ）には、開口閉塞用具セット１０を構成するカバープレート１３の一実施例を示す。
【００２７】
図２の閉塞用補助具１は塩化ビニルにて一体に形成されたもので、板状部２と、ボルト３、板状部２の前面２ａ中央付近に円形に突出した中央寄り部分４とからなる。中央寄り部分４は、図１のように、排水管５の開口６内に摩擦をもってはまる大きさで、排水管５と同じ厚さ(Ｔ)と曲率を有する。ボルト３は、図２のとおり板状部２の前面２ａ（中央寄り部分４の前面４ａ）に、その面２ａと直角の方向に突出させて取り付け、ねじ部３ａを設けている。
【００２８】
板状部２の背面２ｂ（前面２ａの反対側）は、その端部から中央部に向けて徐々に前面２ａからの厚みを増大させ、なめらかな曲面にしている（図２（ｂ）参照）。
【００２９】
図１に示すように、閉塞用具セット１０は、排水管５の側面に開けた開口６を外側から塞ぐためのもので、上記した補助具１のほか、粘着パッキン１２、カバープレート１３、ナット１６からなる。
【００３０】
粘着パッキン１２は、粘着力があり変形自在な可塑性のゴム（たとえば未加硫ブチルゴム）製で、排水管５の開口６の周囲と補助具１の中央寄り部分４とにまたがるよう押し付けながら、排水管５とカバープレート１３との間に環状に配置して、水漏れを防止する。
【００３１】
カバープレート１３は、開口６に被せて排水管５の外周面に密着させるもので、塩化ビニル製である。内側面を管５と同心の曲面とし、外径は開口６よりも大きくしている。図３に示すように、カバープレート１３の中心には、補助具１のボルト３を通すための挿通口１３ｃを設けている。カバープレート１３の内側（排水管５に向かい合う側）の縁部付近に、排水管５側に突出する段差１３ａを全周にわたって設け、粘着パッキン１２がカバープレート１３からはみ出すのを防いでいる。カバープレート１３の中央部（挿通口１３ｃの周囲）は、外側に向けて厚く形成し、補助具（ねじ）を締めたとき、板状部２が変形することを防止するための補強部材１３ｂとしている（図３（ｂ）・（ｃ）を参照）。その補強部材１３ｂは、中央寄りの部分を平面に形成しているので、ナット１６を安定して締め付けることができる。
ナット１６としては、特別なものは必要なく、市販されているものを使用できる。
【００３２】
つぎに、閉塞用具セット１０を用いて排水管５の開口６を塞ぐ方法について、図４（１）〜（３）に基づき説明する。
まず、排水管５の側面に設けられた開口６内に補助具１の板状部２を差し入れ、当該開口６のうち対向する上下の縁部６ａの各背面に、管５の内側から、補助具１の板状部２の前面２ａを接触させ、中央寄り部分４を開口６にはめ込む。そしてこれにより、ボルト３を外側に向けた状態で補助具１を開口６に仮止めする（図４（２ａ）・（２ｂ）参照）。そうすると、中央寄り部分４と開口６との間のはめ合いに係る摩擦により、補助具１は、支持手段がなくても自然には落下することがなくなる。図４では板状部２を上下方向に配置しているが、板状部の長手方向の形状が排水管の曲率に合わせたものであれば、水平方向に設けても同じように安定する。
【００３３】
この状態で、粘着パッキン１２を、開口６の周囲と中央寄り部分４とにまたがるように押し付けながら全周にわたって装着する（図４（３ａ）・（３ｂ）参照）。このとき、強く押し付けても補助具１が落下しないように、補助具１のボルト３を保持するとよい。粘着パッキン１２を装着した後は、その粘着力によって補助具１が排水管５にしっかりと仮止めされるので、補助具１を支持する必要がなくなる。
【００３４】
つぎに、カバープレート１３（図３）の挿通口１３ｃを補助具１のボルト３に通しながら、開口６にカバープレート１３を当てる。最後に、図１（ａ）・（ｂ）のように、ボルト３にナット１６をはめて締め付ける。ボルト３のうちナット１６から突出した部分は、不要であれば切り落とすこともできる。また、ナットをはめる前に座金（図示せず）をボルト３に通してもよい。
【００３５】
図１（ａ）のように、カバープレート１３は段差１３ａを有するため、ナット１６を強く締め付けても粘着パッキン１２がはみ出し難く、ナット１６を締め付ける力で効率的に粘着パッキン１２を排水管５の中心部に向けて押圧できる。開口６と中央寄り部分４との間に１〜２ｍｍ程度以下の隙間１４があった場合でも、粘着パッキン１２がその隙間１４に押し込まれて良好な密封性を保つことができる。
【００３６】
このように、補助具１を開口６に仮止めできること等から、排水管５の外側のみから容易にカバープレート１３を取り付けることができる。カバープレート１３は、補助具１とナット１６とによって固定するので、必要に応じて取り外したうえ開口６を再度利用することも可能である。
【００３７】
一般に、排水管のうち、Ｔジョイント（Ｔ型継手）やＹジョイントの部分には、棒状の固形物などが引っ掛かって詰まりやすい。そのため、図５に示すように、それらのジョイント部１５に開口を設け、それを上記のような閉塞用具セット１０にて塞ぐことも有意義である。
【００３８】
また、カバープレートについて、図６のような実施形態をとることも考えられる。図６に示すカバープレート２３は、段差１３ａの代わりに、突起２３ａを全周にわたって設けている。この突起２３ａによって、粘着パッキン１２がカバープレート１３の外側にはみ出るのを防ぐことができる。
【００３９】
以上の例では、管に設けられた開口を閉塞する場合について説明したが、発明の閉塞用具セットや閉塞用補助具、閉塞方法は、建築物等の平らな壁面に設けられた穴にカバープレートや同等のパネルを取り付ける際などにも使用できる。閉塞用補助具やカバープレートの素材も塩化ビニル製に限定されるものではない。
【図面の簡単な説明】
【００４０】
【図１】図１（ａ）は、発明による開口閉塞用具セット１０を用いて排水管５の側面の開口６を塞いだ状態を示す断面図で、同（ｂ）は正面図（ボルト３の先端側から見た図）である。
【図２】図２（ａ）は閉塞用補助具１の実施形態を示す正面図であり、同（ｂ）はその側面図、同（ｃ）はその平面図（図２（ａ）の下方から見た図）である。
【図３】図３（ａ）は、カバープレート１３の正面図であり、同（ｂ）はそのｂ−ｂ断面図、同（ｃ）は、その平面図（図３（ａ）の下方から見た図）である。
【図４】図４は、開口閉塞用具セット１０の使用手順を示す説明図である。図４（１）は、開口閉塞用具セット１０を取り付ける前の開口６の正面図、同（２ａ）は閉塞用補助具１の仮止め状態を示す正面図、同（２ｂ）はその2b−2b断面図、同（３ａ）は粘着パッキン１２を装着した状態を示す正面図、同（３ｂ）はその3b−3b断面図である。
【図５】ジョイント部１５に開口閉塞用具セット１０を取り付けた状態を示す斜視図である。
【図６】発明の別の実施形態であるカバープレート２３を示す断面図である。
【符号の説明】
【００４１】
１  閉塞用補助具
２  板状部
３  ボルト
４  中央寄り部分
５  排水管
６  開口
１０  開口閉塞用具セット
１２  粘着パッキン
１３・２３  カバープレート
１３ａ  段差
１３ｃ  挿通口
１６  ナット
【図１】
2008095468.tif 000003
【図２】
2008095468.tif 000004
【図３】
2008095468.tif 000005
【図４】
2008095468.tif 000006
【図５】
2008095468.tif 000007
【図６】
2008095468.tif 000008
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
管の壁面に設けられた開口を塞ぐための方法であって、
1)  管の内側から上記開口を概ね隙間なく塞ぐとともに上記開口を通り抜けることができ、開口をはさんで対向する縁部の各背面に接触し得るように形成された板状部と、板状部の前面に直角に突出するボルトとが一体にされた閉塞用補助具につき、上記板状部を上記開口から管内に入れたうえ上記縁部の各背面にその板状部を接触させてボルトを開口から出し、
2)  上記開口の周囲と板状部との間の隙間を塞ぐように粘着パッキンを取り付け、
3)  上記開口を覆って上記管の外側面に概ね隙間なくかぶさるとともに上記補助具のボルトを通し得る挿通口を有するカバープレートを、上記ボルトをその挿通口に通すことによって上記の粘着パッキン上に重ね、
4)  上記カバープレートの前面に出たボルトにナットをはめて締め付ける
ことを特徴とする開口の閉塞方法。
【請求項２】
上記の粘着パッキンとして、管に付着して自然落下しない粘着力を有し、かつ力を受けて変形する樹脂またはゴム製のものを使用することを特徴とする請求項１に記載した開口の閉塞方法。
【請求項３】
管の壁面に設けられた開口を塞ぐための開口閉塞用具セットであって、
上記開口に、それを塞ぐカバープレートを取り付けるための開口閉塞用補助具であり、管の内側から上記開口を概ね隙間なく塞ぐとともに上記開口を通り抜けることができ開口をはさんで対向する縁部の各背面に接触し得るよう形成された板状部に対し、その前面に直角に突出するボルトが一体化されている開口閉塞用補助具と、
上記開口を覆って上記管の外側面に概ね隙間なくかぶさるとともに、上記補助具のボルトを通し得る挿通口を有するカバープレートと、
上記開口の周囲と上記縁部の背面に接触させた状態の板状部との間の隙間をすべて塞ぐよう環状に装着される粘着パッキンと、
カバープレートの上記挿通口から出る上記補助具のボルトにはめ付けるナットと
を含むことを特徴とする開口閉塞用具セット。
【請求項４】
上記のカバープレートの内側面に、粘着パッキンのはみ出し防止のための段差または突起部が環状に形成されていることを特徴とする請求項３に記載の開口閉塞用具セット。
【請求項５】
上記のカバープレートは、挿通口の周囲が外周寄りの部分よりも厚く形成されたものであることを特徴とする請求項３または４に記載の開口閉塞用具セット。
【手続補正２】
【補正対象書類名】明細書
【補正対象項目名】００１０
【補正方法】変更
【補正の内容】
【００１０】
請求項に記載した開口の閉塞方法は、管の壁面に設けられた開口（たとえば図４（ａ）の符号６）を塞ぐための方法であって、つぎのようにすることを特徴とする。
1)  管の内側から上記開口を概ね隙間なく塞ぐ（管の内面または開口との間に１〜２ｍｍ程度以下の隙間ができても差し支えない）とともに上記開口を通り抜けることができ、開口をはさんで対向する縁部の各背面（カバープレートを取り付ける側と反対側の面）に接触し得るように形成された板状部と、板状部の前面に直角に突出するボルトとが一体に（分離することがなく、また液体を通す隙間がないよう一体に）された閉塞用補助具につき、上記板状部を上記開口から管内に入れたうえ上記縁部の各背面にその板状部を接触させてボルトを開口から出す（たとえば図４（２ａ・２ｂ）のようにする）。
2)  つぎに、上記開口の周囲と板状部との間の隙間（のすべて）を塞ぐように粘着パッキンを取り付ける（たとえば図４（３ａ・３ｂ）のようにする）。
3)  さらに、上記開口を覆って上記管の外側面に概ね隙間なくかぶさる（管の外側面に直に重ねたとき両者間の一部にたとえば１〜２ｍｍ程度以下の隙間ができても差し支えない）とともに上記補助具のボルトを通し得る挿通口を有するカバープレートを、上記ボルトをその挿通口に通すことによって上記の粘着パッキン上に重ねる。
4)  最後に、上記カバープレートの前面に出たボルトにナットをはめて締め付ける（これにより、たとえば図１の状態にする）。
【手続補正３】
【補正対象書類名】明細書
【補正対象項目名】００１１
【補正方法】変更
【補正の内容】
【００１１】
このような閉塞方法によれば、種々の管に設けられた開口に対し、当該開口を塞ぐカバープレートを、密封性があり、しかも取り外し可能な状態に、当該管の外側から容易に取り付けることができる。密封性があるのは、上記3)のように粘着パッキンを使用すること等により密封性を高めて、管内からの流体の漏れを確実に防止できるからである。また取り付けが容易であるのは、カバープレート等を固定するためのボルトが、閉塞用補助具と一体であるため、落下しないように保持しておくことが容易だからである。閉塞用補助具において上記のようにボルトが前面に突出していると、粘着パッキンを装着するとき、ボルトを手で持って閉塞用補助具を手前に引っ張ることができるので、閉塞用補助具が管の内部に転落するのを防ぎやすいという効果もある。
粘着パッキンの使用によって密封性を高め得るのは、通常のパッキンやガスケットよりも変形可能性の高い粘着パッキンを、開口の周囲と板状部との間の隙間を塞ぐように取り付けるからである。そうしたうえで上記3)・4)のようにカバープレートを重ねて固定すれば、粘着パッキンが、管と閉塞用補助具とカバープレートとの三者に対して密に接することとなり、管内の流体の漏出をきわめて確実に防止する。管（もしくは開口）と閉塞用補助具との間、または管とカバープレートとの間に多少の隙間があっても、それらの間に粘着パッキンが押し込まれることとなるため流体の漏出は防止される。なお、閉塞用補助具とボルトとは、液体を通す隙間がないよう一体にされているので、両者の間を通って流体が漏出することもない。
なお、管の壁面に設けた開口をこうして容易に塞ぐことができるなら、排水管の内部を清掃する作業は、全体として簡単に、かつ短時間内に行うことが可能になる。
【手続補正４】
【補正対象書類名】明細書
【補正対象項目名】００１２
【補正方法】変更
【補正の内容】
【００１２】
発明の閉塞方法では、上記の粘着パッキンとして、管に付着して自然落下（自己の重さのために管から離れて落下すること）をしない粘着力を有し、かつ力を受けて変形する樹脂またはゴム製のものを使用するのが好ましい。
【手続補正５】
【補正対象書類名】明細書
【補正対象項目名】００１４
【補正方法】変更
【補正の内容】
【００１４】
発明の開口閉塞用補助具は、管の壁面に設けられた開口に、それを塞ぐカバープレートを取り付けるためのものであって、
・  管の内側から上記開口を概ね隙間なく塞ぐ（管の内面または開口との間に１〜２ｍｍ程度以下の隙間ができても差し支えない）とともに上記開口を通り抜けることができ、開口をはさんで対向する縁部の各背面（カバープレート等を取り付ける側と反対側の面）に接触し得るよう形成された板状部に対し、
・  その前面（カバープレート等を取り付ける側の面、すなわ作業者と対向する面）に直角に突出するボルトが一体化されている（分離することがなく液体を通す隙間がないように一体化されている）
ことを特徴とする。
【手続補正６】
【補正対象書類名】明細書
【補正対象項目名】００１９
【補正方法】変更
【補正の内容】
【００１９】
請求項に係る開口閉塞用具セットは、管の壁面に設けられた開口を塞ぐためのもので、
・  上記開口に、それを塞ぐカバープレートを取り付けるための開口閉塞用補助具であり、管の内側から上記開口を概ね隙間なく塞ぐとともに上記開口を通り抜けることができ開口をはさんで対向する縁部の各背面に接触し得るよう形成された板状部に対し、その前面に直角に突出するボルトが一体化されている開口閉塞用補助具と、
・  上記開口を覆って上記管の外側面に概ね隙間なくかぶさる（そのため、たとえば、上記の管に対して同心の曲面を内側に有しているとよい。管の外側面とカバープレートとを直接重ねるとき両者間の一部に１〜２ｍｍ程度以下の隙間ができる状態であっても差し支えない）とともに、上記補助具のボルトを通し得る挿通口を有するカバープレートと、
・  上記開口の周囲と、上記縁部の背面に接触させた状態の板状部との間の隙間（のすべて）を塞ぐよう環状に装着される粘着パッキンと、
・  カバープレートの上記挿通口から出る上記補助具のボルトにはめ付けるナットと
を含むことを特徴とする。
【手続補正７】
【補正対象書類名】明細書
【補正対象項目名】００２０
【補正方法】変更
【補正の内容】
【００２０】
このような開口閉塞用具セットを用いれば、前記の閉塞方法により、管の壁面に設けられた開口を、管内の流体が漏れ出ないようにカバープレートで塞ぐ作業を容易に行うことができる。すなわち、上記の閉塞用補助具を開口にあてがったうえ、管の開口の周囲と上記補助具の板状部との間に粘着パッキンを装着し、外側にカバープレートをかぶせるとともにカバープレートの挿通口に閉塞用補助具のボルトを通し、かつそのボルトにナットをはめ付けることによって、閉塞作業を完了できる。しかも、再びナットを緩めることによってカバープレートを取り外すことができ、粘着パッキンを剥がしたりカッターナイフ等で切り取ったりすれば、同じ開口を、管内の清掃作業等のために何度も利用することができる。
【手続補正８】
【補正対象書類名】明細書
【補正対象項目名】００２４
【補正方法】変更
【補正の内容】
【００２４】
発明の開口閉塞用補助具によれば、適切に使用することにより、管に設けられた開口を上記と同様に好ましい態様で塞ぐことができる。管内での流れの妨げとならず、当該補助具に異物が引っ掛かりにくくすることも可能である。プラスチック製とすることにより、製造コストを抑えたり腐食しにくくしたりすることもできる。
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
管の壁面に設けられた開口を塞ぐための方法であって、
1)  管の内側から上記開口を概ね隙間なく塞ぐとともに上記開口を通り抜けることができ、開口をはさんで対向する縁部の各背面に接触し得るように形成された板状部と、板状部の前面に直角に突出するボルトとが一体にされた閉塞用補助具につき、上記板状部を上記開口から管内に入れたうえ上記縁部の各背面にその板状部を接触させてボルトを開口から出し、
2)  上記開口の周囲と板状部との間の隙間を塞ぐよう、管の外側面から上記補助具の板状部表面にかけての範囲に粘着パッキンを取り付け、
3)  上記開口を覆って上記管の外側面に概ね隙間なくかぶさるとともに上記補助具のボルトを通し得る挿通口を有するカバープレートを、上記ボルトをその挿通口に通すことによって上記の粘着パッキン上に重ね、
4)  上記カバープレートの前面に出たボルトにナットをはめて締め付ける
ことを特徴とする開口の閉塞方法。
【請求項２】
上記の粘着パッキンとして、管の外側面に付着して自然落下しない粘着力を有し、かつ力を受けて変形する樹脂またはゴム製のものを使用することを特徴とする請求項１に記載した開口の閉塞方法。
【請求項３】
管の壁面に設けられた開口を塞ぐための開口閉塞用具セットであって、
上記開口に、それを塞ぐカバープレートを取り付けるための開口閉塞用補助具であり、管の内側から上記開口を概ね隙間なく塞ぐとともに上記開口を通り抜けることができ開口をはさんで対向する縁部の各背面に接触し得るよう形成された板状部に対し、その前面に直角に突出するボルトが一体化されている開口閉塞用補助具と、
上記開口を覆って上記管の外側面に概ね隙間なくかぶさるとともに、上記補助具のボルトを通し得る挿通口を有するカバープレートと、
上記開口の周囲と上記縁部の背面に接触させた状態の板状部との間の隙間をすべて塞ぐよう、管の外側面から上記補助具の板状部表面にかけて、管とカバープレートとの間に環状に装着される粘着パッキンと、
カバープレートの上記挿通口から出る上記補助具のボルトにはめ付けるナットと
を含むことを特徴とする開口閉塞用具セット。
【請求項４】
上記のカバープレートの内側面に、粘着パッキンのはみ出し防止のための段差または突起部が環状に形成されていることを特徴とする請求項３に記載の開口閉塞用具セット。
【請求項５】
上記のカバープレートは、挿通口の周囲が外周寄りの部分よりも厚く形成されたものであることを特徴とする請求項３または４に記載の開口閉塞用具セット。
【手続補正２】
【補正対象書類名】明細書
【補正対象項目名】００１０
【補正方法】変更
【補正の内容】
【００１０】
請求項に記載した開口の閉塞方法は、管の壁面に設けられた開口（たとえば図４（ａ）の符号６）を塞ぐための方法であって、つぎのようにすることを特徴とする。
1)  管の内側から上記開口を概ね隙間なく塞ぐ（管の内面または開口との間に１〜２ｍｍ程度以下の隙間ができても差し支えない）とともに上記開口を通り抜けることができ、開口をはさんで対向する縁部の各背面（カバープレートを取り付ける側と反対側の面）に接触し得るように形成された板状部と、板状部の前面に直角に突出するボルトとが一体に（分離することがなく、また液体を通す隙間がないよう一体に）された閉塞用補助具につき、上記板状部を上記開口から管内に入れたうえ上記縁部の各背面にその板状部を接触させてボルトを開口から出す（たとえば図４（２ａ・２ｂ）のようにする）。
2)  つぎに、上記開口の周囲と板状部との間の隙間（のすべて）を塞ぐよう、管の外側面から上記補助具の板状部表面（前面）にかけての範囲に粘着パッキンを取り付ける（たとえば図４（３ａ・３ｂ）のようにする）。
3)  さらに、上記開口を覆って上記管の外側面に概ね隙間なくかぶさる（管の外側面に直に重ねたとき両者間の一部にたとえば１〜２ｍｍ程度以下の隙間ができても差し支えない）とともに上記補助具のボルトを通し得る挿通口を有するカバープレートを、上記ボルトをその挿通口に通すことによって上記の粘着パッキン上に重ねる。
4)  最後に、上記カバープレートの前面に出たボルトにナットをはめて締め付ける（これにより、たとえば図１の状態にする）。
【手続補正３】
【補正対象書類名】明細書
【補正対象項目名】００１１
【補正方法】変更
【補正の内容】
【００１１】
このような閉塞方法によれば、種々の管に設けられた開口に対し、当該開口を塞ぐカバープレートを、密封性があり、しかも取り外し可能な状態に、当該管の外側から容易に取り付けることができる。密封性があるのは、上記3)のように粘着パッキンを使用すること等により密封性を高めて、管内からの流体の漏れを確実に防止できるからである。また取り付けが容易であるのは、カバープレート等を固定するためのボルトが、閉塞用補助具と一体であるため、落下しないように保持しておくことが容易だからである。閉塞用補助具において上記のようにボルトが前面に突出していると、粘着パッキンを装着するとき、ボルトを手で持って閉塞用補助具を手前に引っ張ることができるので、閉塞用補助具が管の内部に転落するのを防ぎやすいという効果もある。
粘着パッキンの使用によって密封性を高め得るのは、通常のパッキンやガスケットよりも変形可能性の高い粘着パッキンを、開口の周囲と板状部との間の隙間を塞ぐよう、管の外側面から上記補助具の表面にかけての範囲に取り付けるからである。そうしたうえで上記3)・4)のようにカバープレートを重ねて固定すれば、粘着パッキンが、管と閉塞用補助具とカバープレートとの三者に対して密に接することとなり、管内の流体の漏出をきわめて確実に防止する。管（もしくは開口）と閉塞用補助具との間、または管とカバープレートとの間に多少の隙間があっても、それらの間に粘着パッキンが押し込まれることとなるため流体の漏出は防止される。なお、閉塞用補助具とボルトとは、液体を通す隙間がないよう一体にされているので、両者の間を通って流体が漏出することもない。
なお、管の壁面に設けた開口をこうして容易に塞ぐことができるなら、排水管の内部を清掃する作業は、全体として簡単に、かつ短時間内に行うことが可能になる。
【手続補正４】
【補正対象書類名】明細書
【補正対象項目名】００１２
【補正方法】変更
【補正の内容】
【００１２】
発明の閉塞方法では、上記の粘着パッキンとして、管の外側面に付着して自然落下（自己の重さのために管から離れて落下すること）をしない粘着力を有し、かつ力を受けて変形する樹脂またはゴム製のものを使用するのが好ましい。
【手続補正５】
【補正対象書類名】明細書
【補正対象項目名】００１９
【補正方法】変更
【補正の内容】
【００１９】
請求項に係る開口閉塞用具セットは、管の壁面に設けられた開口を塞ぐためのもので、
・  上記開口に、それを塞ぐカバープレートを取り付けるための開口閉塞用補助具であり、管の内側から上記開口を概ね隙間なく塞ぐとともに上記開口を通り抜けることができ開口をはさんで対向する縁部の各背面に接触し得るよう形成された板状部に対し、その前面に直角に突出するボルトが一体化されている開口閉塞用補助具と、
・  上記開口を覆って上記管の外側面に概ね隙間なくかぶさる（そのため、たとえば、上記の管に対して同心の曲面を内側に有しているとよい。管の外側面とカバープレートとを直接重ねるとき両者間の一部に１〜２ｍｍ程度以下の隙間ができる状態であっても差し支えない）とともに、上記補助具のボルトを通し得る挿通口を有するカバープレートと、
・  上記開口の周囲と、上記縁部の背面に接触させた状態の板状部との間の隙間（のすべて）を塞ぐよう、管の外側面から上記補助具の板状部表面にかけて、管とカバープレートとの間に環状に装着される粘着パッキンと、
・  カバープレートの上記挿通口から出る上記補助具のボルトにはめ付けるナットと
を含むことを特徴とする。
【手続補正６】
【補正対象書類名】明細書
【補正対象項目名】００２０
【補正方法】変更
【補正の内容】
【００２０】
このような開口閉塞用具セットを用いれば、前記の閉塞方法により、管の壁面に設けられた開口を、管内の流体が漏れ出ないようにカバープレートで塞ぐ作業を容易に行うことができる。すなわち、上記の閉塞用補助具を開口にあてがったうえ、管の開口の周囲と上記補助具の板状部との間にまたがるように粘着パッキンを装着し、その外側にカバープレートをかぶせるとともにカバープレートの挿通口に閉塞用補助具のボルトを通し、かつそのボルトにナットをはめ付けることによって、閉塞作業を完了できる。しかも、再びナットを緩めることによってカバープレートを取り外すことができ、粘着パッキンを剥がしたりカッターナイフ等で切り取ったりすれば、同じ開口を、管内の清掃作業等のために何度も利用することができる。